(57)【特許請求の範囲】
【請求項１】
設定に相応しくないと判断するための判断条件、および、不要な用語を特定するための特定情報を記憶する第１の記憶手段と、
少なくとも品目名と、前記品目名に対応した部品の部品名称に使用される可能性があると予め定められた名称用語と、統計品目表において前記品目名に関連付けて定められた１または複数の統計品目番号とを関連付けした品目情報を記憶する第２の記憶手段と、
統計品目番号の設定対象となる対象部品の部品名称が前記判断条件を満たす場合、前記対象部品の部品名称を設定できない旨を設定者に通知する通知手段と、
前記対象部品の部品名称が前記判断条件を満たさない場合、前記対象部品の部品名称から、前記特定情報で特定される前記不要な用語を削除してキー名を作成する作成手段と、
前記品目情報を参照し、前記キー名と一致する前記名称用語に関連付けられた統計品目番号を前記対象部品の統計品目番号として設定する設定手段と
を有する情報処理システム。
【請求項２】
前記キー名と一致する前記名称用語に関連付けられた前記品目名を検出する検出手段と、
前記検出手段で検出された１または複数の品目名を含む品目一覧を表示部に表示する第１の表示制御手段と、
前記品目一覧において設定者により指定された品目名を前記対象部品の品目名として決定する決定手段とを更に有し、
前記設定手段は、前記決定手段で決定した品目名に関連付けられた統計品目番号を前記対象部品の統計品目番号として設定する請求項１に記載の情報処理システム。
【請求項３】
前記品目情報は、前記統計品目表に従って一義的に一つの統計品目番号を設定できる品目に関しては、前記統計品目表に従う前記一つの統計品目番号を記憶し、他方、統計品目表に従って一義的に一つの統計品目番号を設定できず細分品目がある品目に関しては、前記統計品目表に従う細分品目名及び細分品目毎の統計品目番号を記憶し、
前記第１の表示制御手段は、前記設定者により指定された品目名に前記細分品目名が含まれる場合に、複数の細分品目名を含む細分品目一覧を前記表示部に表示し、
前記決定手段は、前記細分品目一覧において設定者により指定された細分品目名を前記対象部品の品目名として決定する請求項２に記載の情報処理システム。
【請求項４】
統計品目番号の設定対象となる対象部品の統計品目番号を前記対象部品の品目名と関連付けした部品情報を記憶する第３の記憶手段と、
前記設定手段で設定された統計品目番号を含む前記部品情報を前記第３の記憶手段に記憶する登録手段と
を更に有する請求項１〜３のいずれか一項に記載の情報処理システム。
【請求項５】
設定者の指示に基づいて前記品目情報で設定されている複数の品目名を含む品目一覧を表示部に表示する第２の表示制御手段と、
前記第２の表示制御手段により前記表示部に表示された前記品目一覧において設定者により指定された品目名を前記対象部品の品目名として決定する第２の決定手段と、
前記第２の決定手段で決定した品目名に関連付けられた統計品目番号を前記対象部品の統計品目番号として設定する第２の設定手段と、
前記第２の設定手段で設定された統計品目番号を前記対象部品の品目データと関連付けした前記部品情報を前記第３の記憶手段に記憶する第２の登録手段とを更に有する請求項４に記載の情報処理システム。
【請求項６】
設定者の指示に基づいて前記部品情報から前記作成手段で作成されたキー名に関連付けられた部品を検出する部品検出手段と、
前記部品検出手段で検出された１または複数の部品を含む類似部品一覧を表示部に表示する第３の表示制御手段と、
前記類似部品一覧の中から設定者により指定された部品に関連付けられた統計品目番号を前記対象部品の統計品目番号として設定する第３の設定手段とを更に有する請求項４または５に記載の情報処理システム。
【請求項７】
設定者の指示に基づいて前記部品情報で設定されている複数の部品を含む部品一覧を表示部に表示する第４の表示制御手段と、
前記部品一覧において設定者により指定された部品に関連付けられた統計品目番号を前記対象部品の統計品目番号として設定する第４の設定手段とを更に有する請求項４〜６のいずれか一項に記載の情報処理システム。
【請求項８】
前記設定手段により設定された日本の輸出統計品目番号から日本の輸入統計品目番号または外国の統計品目番号に変換し、前記設定手段により設定された外国の統計品目番号から日本の統計品目番号に変換する変換手段を更に有する請求項１〜７のいずれか一項に記載の情報処理システム。
【請求項９】
統計品目番号の設定対象となる対象部品の部品名称が、第１の記憶手段に記憶された設定に相応しくないと判断するための判断条件を満たす場合、前記対象部品の部品名称を設定できない旨を設定者に通知する通知手段と、
前記対象部品の部品名称が前記判断条件を満たさない場合、前記対象部品の部品名称から、前記第１の記憶手段に記憶されている不要な用語を特定するための特定情報で特定される前記不要な用語を削除してキー名を作成する作成手段と、
第２の記憶手段に記憶されている、少なくとも品目名と、前記品目名に対応した部品の部品名称に使用される可能性があると予め定められた名称用語と、統計品目表において前記品目名に関連付けて定められた１または複数の統計品目番号とを関連付けした品目情報を参照し、前記キー名と一致する前記名称用語に関連付けられた統計品目番号を前記対象部品の統計品目番号として設定する設定手段と
を有する情報処理装置。
【請求項１０】
コンピュータを、
統計品目番号の設定対象となる対象部品の部品名称が、第１の記憶手段に記憶された設定に相応しくないと判断するための判断条件を満たす場合、前記対象部品の部品名称を設定できない旨を設定者に通知する通知手段と、
前記対象部品の部品名称が前記判断条件を満たさない場合、前記対象部品の部品名称から、前記第１の記憶手段に記憶されている不要な用語を特定するための特定情報で特定される前記不要な用語を削除してキー名を作成する作成手段と、
第２の記憶手段に記憶されている、少なくとも品目名と、前記品目名に対応した部品の部品名称に使用される可能性があると予め定められた名称用語と、統計品目表において前記品目名に関連付けて定められた１または複数の統計品目番号とを関連付けした品目情報を参照し、前記キー名と一致する前記名称用語に関連付けられた統計品目番号を前記対象部品の統計品目番号として設定する設定手段と
して機能させるプログラム。
【発明の詳細な説明】
【技術分野】
【０００１】
本発明の実施形態は、情報処理システム、情報処理装置及びプログラムに関する。
【背景技術】
【０００２】
従来、自動車や事務機器などの製品を構成する部品を輸出入する際の輸出入申告のために、輸出入者や通関業者などの設定者が、ダンボールなどの収容部材や設計図面などに記載されている部品名称をもとに輸出統計品目表や輸入統計品目表（実行関税率表ともいう。）を参照して部品名称に該当する品目名に対応付けられた統計品目番号｛ＨＳ（Harmonized  Commodity  Description  System）コードともいう。｝を検索し、パーソナルコンピュータなどのクライアント端末において輸出入する数百、数千などの複数の部品の部品一点毎の統計品目番号を設定している。
【０００３】
ところで、製品を構成する部品の開発には種々の設計者が関わっており、上記部品名称は、上記種々の設計者により、部品の種類に応じて一般に呼称されている一般名称に基づいて任意に設定されている。その結果、ほとんどの部品名称は、上記一般名称に、上記品目名を検索するのに直接的に必要の無い付帯情報としての不要な用語が付与されている。このため、製品を構成する各部品の中には、部品名称から上記品目名を特定するのが困難な部品などが含まれているのが実情である。
【０００４】
このようなことから、従来では、部品名称に基づいて簡単に統計品目番号を設定することができないため、統計品目番号の設定作業は貿易担当者にとって負担の大きいものであり、統計品目番号の設定にバラツキやミスが生じるという問題がある。また、従来では、クライアント端末において統計品目番号を手入力しているため、統計品目番号の手入力作業が貿易担当者にとって負担の大きいものであり、入力ミスが生じるという問題がある。
【０００５】
また、統計品目表の品目名は、輸出統計品目表の解釈に関する通則や、関税率表解説・分類例規や、税関公知の解釈などに基づいて定義されているので、統計品目表の品目名を理解するには専門知識や経験が必要である。
【発明の概要】
【発明が解決しようとする課題】
【０００６】
即ち、従来の統計品目番号の設定方法にあっては、専門知識や経験が無いと、部品名称に基づいて簡単に統計品目番号を設定することができないという課題がある。
【０００７】
なお、従来では、情報を自動的に設定することが可能な各技術（例えば、特許文献１〜４参照）が知られているが、それらの技術は、専門知識や経験が無くても、上記のような付帯情報が付与されている部品名称に基づいて簡単に統計品目番号を設定することができるものではない。
【０００８】
そこで、本発明は、上記従来の課題を解決するものであり、簡単に統計品目番号を設定することを可能とした情報処理システム、情報処理装置及びプログラムを提供することを目的とする。
【課題を解決するための手段】
【０００９】
上記した課題を解決し、目的を達成するために、本発明の情報処理システムは、設定に相応しくないと判断するための判断条件、および、不要な用語を特定するための特定情報を記憶する第１の記憶手段と、少なくとも品目名と、前記品目名に対応した部品の部品名称に使用される可能性があると予め定められた名称用語と、統計品目表において前記品目名に関連付けて定められた１または複数の統計品目番号とを関連付けした品目情報を記憶する第２の記憶手段と、統計品目番号の設定対象となる対象部品の部品名称が前記判断条件を満たす場合、前記対象部品の部品名称を設定できない旨を設定者に通知する通知手段と、前記対象部品の部品名称が前記判断条件を満たさない場合、前記対象部品の部品名称から、前記特定情報で特定される前記不要な用語を削除してキー名を作成する作成手段と、前記品目情報を参照し、前記キー名と一致する前記名称用語に関連付けられた統計品目番号を前記対象部品の統計品目番号として設定する設定手段とを有する。
【００１０】
また、本発明の情報処理装置は、統計品目番号の設定対象となる対象部品の部品名称が、第１の記憶手段に記憶された設定に相応しくないと判断するための判断条件を満たす場合、前記対象部品の部品名称を設定できない旨を設定者に通知する通知手段と、前記対象部品の部品名称が前記判断条件を満たさない場合、前記対象部品の部品名称から、前記第１の記憶手段に記憶されている不要な用語を特定するための特定情報で特定される前記不要な用語を削除してキー名を作成する作成手段と、第２の記憶手段に記憶されている、少なくとも品目名と、前記品目名に対応した部品の部品名称に使用される可能性があると予め定められた名称用語と、統計品目表において前記品目名に関連付けて定められた１または複数の統計品目番号とを関連付けした品目情報を参照し、前記キー名と一致する前記名称用語に関連付けられた統計品目番号を前記対象部品の統計品目番号として設定する設定手段とを有する。
【００１１】
また、本発明のプログラムは、コンピュータを、統計品目番号の設定対象となる対象部品の部品名称が、第１の記憶手段に記憶された設定に相応しくないと判断するための判断条件を満たす場合、前記対象部品の部品名称を設定できない旨を設定者に通知する通知手段と、前記対象部品の部品名称が前記判断条件を満たさない場合、前記対象部品の部品名称から、前記第１の記憶手段に記憶されている不要な用語を特定するための特定情報で特定される前記不要な用語を削除してキー名を作成する作成手段と、第２の記憶手段に記憶されている、少なくとも品目名と、前記品目名に対応した部品の部品名称に使用される可能性があると予め定められた名称用語と、統計品目表において前記品目名に関連付けて定められた１または複数の統計品目番号とを関連付けした品目情報を参照し、前記キー名と一致する前記名称用語に関連付けられた統計品目番号を前記対象部品の統計品目番号として設定する設定手段として機能させる。
【発明の効果】
【００１２】
本発明によれば、簡単に統計品目番号を設定することができるという作用効果を奏する。
【図面の簡単な説明】
【００１３】
【図１】図１は、本実施形態に係る情報処理システムのシステム構成を示すシステム概要図である。
【図２】図２は、本実施形態に係るクライアント端末の制御系のハードウェア構成を示すブロック図である。
【図３】図３は、本実施形態に係るサーバ装置の制御系のハードウェア構成を示すブロック図である。
【図４】図４は、品目マスタが管理する品目情報の構成を説明するための模式図である。
【図５】図５は、ＤＣモータ（直流電動機）の品目情報の一例を示す模式図である。
【図６】図６は、ギヤヘッドの品目情報の一例を示す模式図である。
【図７】図７は、キャスターの品目情報の一例を示す模式図である。
【図８】図８は、日本の輸出品の統計品目表における電動機（モータ）関連の抜粋例を示す模式図である。
【図９】図９は、米国の統計品目表における電動機（モータ）関連の抜粋例を示す模式図である。
【図１０】図１０は、ＨＳマスタが管理する情報の構成を示す模式図である。
【図１１】図１１は、部品マスタが管理する部品情報の一構成例を示す模式図である。
【図１２】図１２は、本実施形態に係るクライアント端末の機能的構成を示すブロック図である。
【図１３】図１３は、本実施形態に係るサーバ装置の機能的構成を示すブロック図である。
【図１４】図１４は、第１の設定方法に従って対象部品の統計品目番号を設定する場合の処理手順を示すフローチャートである。
【図１５】図１５は、クライアント端末で表示される設定依頼画面の構成を示す模式図である。
【図１６】図１６は、クライアント端末で表示される設定画面の構成を示す模式図である。
【図１７】図１７は、クライアント端末で表示される設定画面の構成を示す模式図である。
【図１８】図１８は、クライアント端末で表示される設定画面の構成を示す模式図である。
【図１９】図１９は、図１４のステップＳ１０３のキー名作成処理の詳細な処理手順を示すフローチャートである。
【図２０】図２０は、図１９のステップＳ２０２で作成される区切り名称を説明するための表図である。
【図２１】図２１は、評価マスタの構成を示す模式図である。
【図２２】図２２は、図１４のステップＳ１０４の品目名検出処理の詳細な処理手順を示すフローチャートである。
【図２３】図２３は、第２の設定方法に従って対象部品の統計品目番号を設定する場合の処理手順を示すフローチャートである。
【図２４】図２４は、クライアント端末で表示される設定画面の構成を示す模式図である。
【図２５】図２５は、第４の設定方法に従って対象部品の統計品目番号を設定する場合の処理手順を示すフローチャートである。
【図２６】図２６は、品目名「ＤＣモータ」の日本の輸出ＨＳの号850110に対応する米国の品目選択肢の一例を示す図である。
【発明を実施するための形態】
【００１４】
以下、本発明の実施形態について添付図面を参照して説明する。
【００１５】
最初に、本実施形態に係る統計品目番号設定システム１のシステム構成について図１を用いて説明する。図１は、本実施形態に係る統計品目番号設定システム１のシステム構成を示すシステム概要図である。
【００１６】
図１に示すように、この統計品目番号設定システム１は、複数のクライアント端末２と、１つのサーバ装置３とを備え、各クライアント端末２とサーバ装置３とがインターネットやＬＡＮ（Local  Area  Network）、ＷＡＮ（Wide  Area  Network）などのネットワークＮを介して相互に通信可能に接続されている。
【００１７】
ここで、クライアント端末２は、輸出入者や通関業者などの統計品目番号（ＨＳコード）を設定する設定者が使用するコンピュータであり、例えば、ノート型やデスクトップ型のパーソナルコンピュータ（ＰＣ：Personal  Computer）などの情報処理装置で実現される。
【００１８】
サーバ装置３は、各クライアント端末２に対して統計品目番号の設定に係るサービスを提供するコンピュータであり、クライアント端末２と同様に、例えば、ノート型やデスクトップ型のＰＣなどの情報処理装置で実現される。
【００１９】
なお、本実施形態のサーバ装置３は、後で詳述する品目マスタＭ１、ＨＳマスタＭ２、部品マスタＭ３、全部品マスタＭ４、不要用語マスタＭ５などの各種のマスタを、ハードディスク装置（ＨＤＤ：Hard  Disk  Drive）やＳＳＤ（Solid  State  Drive）装置などで実現される記憶装置に格納している。
【００２０】
次に、本実施形態に係るクライアント端末２及びサーバ装置３のハードウェア構成について図２及び図３を用いて説明する。図２は、本実施形態に係るクライアント端末２の制御系のハードウェア構成を示すブロック図である。図３は、本実施形態に係るサーバ装置３の制御系のハードウェア構成を示すブロック図である。
【００２１】
図２に示すように、本実施形態に係るクライアント端末２は、一般的なコンピュータを利用したハードウェア構成となっており、例えば、制御部２０と、通信Ｉ／Ｆ部２１と、Ｉ／Ｏ機器制御部２２とがバスＢ１によって接続されて構成されている。なお、制御部２０は、ＣＰＵ（Central  Processing  Unit）、ＲＯＭ（Read  Only  Memory）、ＲＡＭ（Random  Access  Memory）などで構成される。
【００２２】
また、制御部２０には、バスＢ１及びＩ／Ｏ機器制御部２２を介して、キーボード、マウス、タッチパネルなどで実現される操作部２３や、液晶ディスプレイなどで実現される表示部２４、ＨＤＤやＳＳＤ装置などで実現される記憶部２５などが接続されている。
【００２３】
即ち、制御部２０は、ＣＰＵがＲＯＭやＨＤＤなどに格納されるプログラムをＲＡＭに展開して実行することにより、Ｉ／Ｏ機器制御部２２を介して接続される各種構成要素の動作を制御するとともに、通信Ｉ／Ｆ部２１及びネットワークＮを介して接続される他の機器としてのサーバ装置３との間で統計品目番号の設定に係る各種データの送受信動作を制御するものである。
【００２４】
図３に示すように、本実施形態に係るサーバ装置３は、クライアント端末２と同様に一般的なコンピュータを利用したハードウェア構成となっており、例えば、制御部３０と、通信Ｉ／Ｆ部３１と、Ｉ／Ｏ機器制御部３２とがバスＢ２によって接続されて構成されている。なお、制御部３０は、ＣＰＵ（Central  Processing  Unit）、ＲＯＭ（Read  Only  Memory）、ＲＡＭ（Random  Access  Memory）などで構成される。
【００２５】
また、制御部３０には、バスＢ２及びＩ／Ｏ機器制御部３２を介して、キーボード、マウス、タッチパネルなどで実現される操作部３３や、液晶ディスプレイなどで実現される表示部３４、ＨＤＤやＳＳＤ装置などで実現される記憶部３５などが接続されている。
【００２６】
即ち、制御部３０は、ＣＰＵがＲＯＭやＨＤＤなどに格納されるプログラムをＲＡＭに展開して実行することにより、Ｉ／Ｏ機器制御部３２を介して接続される各種構成要素の動作を制御するとともに、通信Ｉ／Ｆ部３１及び通信ネットワークＮを介して接続される他の機器としての各クライアント端末２との間で統計品目番号の設定に係る各種データの送受信動作を制御するものである。
【００２７】
なお、記憶部３５に、図１で示した品目マスタＭ１、ＨＳマスタＭ２、部品マスタＭ３、全部品マスタＭ４、不要用語マスタＭ５などの各種のマスタが格納されている。
【００２８】
ここで、品目マスタＭ１は、品目情報を管理するマスタである。具体的には、品目マスタＭ１は、図４〜図７に示すように、少なくとも品目名（３０３）と、上記品目名（３０３）に対応した部品の部品名称に使用される可能性があると予め定められた１または複数の名称用語としてのキー名（３１２）と、統計品目表（図８、図９参照）において上記品目名に関連付けて定められた１または複数の統計品目番号とを関連付けした品目毎の品目情報を記憶する。なお、部品の部品名称は、種々の設計者により任意に設定されることから、統計品目番号が異なる複数の部品間で同一の部品名称が付与される可能性がある。このため、上記キー名としては、統計品目番号が異なる複数の品目間で同一のキー名が設定される可能性がある。
【００２９】
また、本実施形態の品目マスタＭ１は、統計品目表に従って一義的に一つの統計品目番号を設定できる品目に関しては、統計品目表に従う上記一つの統計品目番号を記憶し、他方、統計品目表に従って一義的に一つの統計品目番号を設定できず細分品目がある品目に関しては、統計品目表に従う細分品目名と細分品目毎の統計品目番号を記憶している。
【００３０】
図４は、品目マスタＭ１が管理する品目情報の構成を説明するための模式図であり、図５〜図７は、品目マスタＭ１が管理する品目情報の一構成例を示す模式図であり、図５が、ＤＣモータ（直流電動機）の品目情報の一例を示し、図６が、ギヤヘッドの品目情報の一例を示し、図７が、キャスターの品目情報の一例を示している。
【００３１】
統計品目表において、ＤＣモータは、モータの出力（Ｗ）の大きさにより統計品目番号が異なっている。即ち、ＤＣモータは、統計品目表において一義的に一つの統計品目番号を設定できず細分品目があるので、本実施形態の品目マスタＭ１では、図５に示すように、輸出ＨＳコード（３０７）には統計品目番号を登録せず、品目選択肢（３０８）に複数の品目選択肢（例えば、０１：出力が１０Ｗ以下  ＜850110191＞など）を登録している。なお、各品目選択肢は、細分品目名と細分品目ごとの統計品目番号を含んでいる。また、図５の例では、設定者に要求する品目選択肢のパラメータとして、「定格出力（Ｗ）」を品目選択肢のパラメータ（３０９）に登録している。
【００３２】
また、統計品目表において、ギヤヘッドは、一義的に一つの統計品目番号を設定できるので、本実施形態の品目マスタＭ１では、図６に示すように、輸出ＨＳコード（３０７）に一義的に設定できる統計品目番号（850300000）を登録している。
【００３３】
また、統計品目表において、キャスターは、ＤＣモータと同様に統計品目表において一義的に一つの統計品目番号を設定できず細分品目があるので、本実施形態の品目マスタＭ１では、図７に示すように、輸出ＨＳコード（３０８）には統計品目番号を登録せず、品目選択肢（３０８）に細分品目である複数の品目選択肢（例えば、０１：卑金属製の取付具を有するもの＜ｓ＞、０２：プラスチック製の取付具を有するもの＜392690000＞など）を登録している。なお、図７に示す品目選択肢（３０７）の１行目の品目選択肢には、統計品目番号ではなく＜ｓ＞が登録されているが、この＜ｓ＞は、この＜ｓ＞が関連付けられた品目選択肢の下位に更に選択肢（下位選択肢）があることを示すものである。そして、品目マスタＭ１は、上記下位選択肢を下位品目選択肢とそのパラメータ（３１１）に登録している。
【００３４】
また、図４〜図７に示すように、本実施形態の品目マスタＭ１は、日本の統計品目表に関する情報（図の（３０１）〜（３１２）参照）以外にも、外国の統計品目表に関する情報（図の（３１３）〜（３２０）参照）も記憶している。なお、外国の統計品目表に関する情報は、適用する国毎に記憶する。
【００３５】
なお、図８及び図９は、統計品目表の抜粋例を示す表図であり、図８が、日本の輸出品の統計品目表における電動機（モータ）関連の抜粋例を示し、図９が、米国の統計品目表における電動機（モータ）関連の抜粋例を示している。
【００３６】
図３に戻って、ＨＳマスタＭ２は、品目毎の統計品目表に従う統計品目番号を管理するマスタである。具体的には、ＨＳマスタＭ２は、図１０に示すように、品目名、その品目名に対応した統計品目表に従う統計品目番号（輸出ＨＳコードや輸入ＨＳコード）、品目説明などの各種情報（図の（３５１）〜（３６１））を記憶する。
【００３７】
部品マスタＭ３は、統計品目番号の設定対象となる部品（以下、「対象部品」という場合がある。）の部品情報を管理するマスタである。具体的には、部品マスタＭ３は、図１１に示すように、後で詳述する統計品目番号の設定処理で統計品目番号が設定された部品に関する部品情報｛品目データ（４００）、輸出ＨＳコード（４０１）、輸入ＨＳコード（４０２）｝を記憶する。なお、品目データ（４００）には、後述のキー名作成部３０ｂ−１（図１３参照）で作成されたキー名が含まれている。図１１の例では、品目名が「ＤＣモータ」である部品に関する部品情報を示している。
【００３８】
全部品マスタＭ４は、全ての部品の部品情報を管理するマスタである。具体的には、全部品マスタＭ４は、部番、名称、統計品目番号、輸出規制情報、価格、重量、原産国などの輸出入申告に必要な部品情報、即ち、統計品目番号を設定する必要がある輸出入する全ての部品の部品情報を記憶する。なお、全部品マスタＭ４は、後述の統計品目番号の設定処理で設定された統計品目番号であって、しかるべき確認を受け承認された統計品目番号を対応する部品情報とともに記憶する。
【００３９】
不要用語特定マスタＭ５は、後で詳述するキー名を作成するにあたって、不要な用語を特定するための特定情報を記憶するマスタである。具体的には、不要用語特定マスタＭ５は、SUB-UNIT、SECTIONなどの不正語（５１０）、WITH、TYPEなどのカット語（５１２）（いずれも図２１参照）などを含む特定情報を記憶する。
【００４０】
次に、本実施形態に係るクライアント端末２及びサーバ装置３の機能的構成について図１２及び図１３を用いて説明する。図１２は、本実施形態に係るクライアント端末２の機能的構成を示すブロック図である。図１３は、本実施形態に係るサーバ装置３の機能的構成を示すブロック図である。
【００４１】
図１２に示すように、クライアント端末２の制御部２０は、ＣＰＵがＲＯＭなどに記憶されているプログラムをＲＡＭに展開して実行することにより、設定依頼部２０Ａとして機能する。
【００４２】
この設定依頼部２０Ａは、設定者の要求に基づいてサーバ装置３に統計品目番号の設定に係る処理を依頼するものであり、操作受付処理部２０ａ及び表示処理部２０ｂを有している。
【００４３】
ここで、操作受付処理部２０ａは、操作部２３を介して設定者の統計品目番号の設定に係る各種操作を受け付けるものである。
【００４４】
表示処理部２０ｂは、サーバ装置３から送信される表示データに基づいて統計品目番号の設定に係る各種の表示画面を表示部２４に表示するものである。
【００４５】
また、図１３に示すように、サーバ装置３の制御部３０は、ＣＰＵがＲＯＭなどに記憶されているプログラムをＲＡＭに展開して実行することにより、設定制御部３０Ａとして機能する。
【００４６】
この設定制御部３０Ａは、統計品目番号の設定に係る処理動作を制御するものであり、操作受付部３０ａ、第１指定／設定部３０ｂ、第２指定／設定部３０ｃ、第３指定／設定部３０ｄ、第４指定／設定部３０ｅ、統計品目番号変換部３０ｆを有している。
【００４７】
操作受付部３０ａは、設定者の統計品目番号の設定に係る各種指示操作を受け付けるものである。
【００４８】
第１指定／設定部３０ｂは、第１の設定方法に従って対象部品の統計品目番号を設定するものであり、キー名作成部３０ｂ−１、品目名検出部３０ｂ−２、表示制御部３０ｂ−３、品目名決定部３０ｂ−４、統計品目番号設定部３０ｂ−５を有している。なお、ここでいう第１の設定方法とは、サーバ装置３が、部品名称から対象部品に相当する品目名を推定し、該推定した品目名に従って対象部品の統計品目番号を設定する方法のことである。
【００４９】
キー名作成部３０ｂ−１は、対象部品の部品名称から、不要用語マスタＭ５で管理される特定情報で特定される付帯情報としての不要な用語を削除して、キー名（主キー名、キー名１、キー名２、キー名３、キー名４、第２主キー名、キー名０など）を作成するものである。
【００５０】
品目名検出部３０ｂ−２は、キー名作成部３０ｂ−１で作成されたキー名を基に品目マスタＭ１で管理される品目情報を参照し、上記作成されたキー名と一致するキー名称（名称用語）に関連付けられた品目名を検出するものである。
【００５１】
表示制御部３０ｂ−３は、クライアント端末２の表示部２４に統計品目番号の設定処理に係る各種の表示画面を表示させるものであり、例えば、品目名検出部３０ｂ−２で検出された１または複数の品目名を含む品目一覧を表示部２４に表示する。また、表示制御部３０ｂ−３は、設定者により指定された品目名に細分品目名が含まれる場合に、複数の細分品目名を含む細分品目一覧を表示部２４に表示する。
【００５２】
品目名決定部３０ｂ−４は、表示制御部３０ｂ−３により表示部２４に表示された品目一覧または細分品目一覧において設定者により指定された品目名または細分品目名を対象部品の品目名として決定するものである。
【００５３】
品目番号設定部３０ｂ−５は、品目名決定部３０ｂ−４で決定した品目名に関連付けられた統計品目番号を対象部品の統計品目番号として設定するものである。また、品目番号設定部３０ｂ−５は、上記設定した統計品目番号及びその対象部品の品目データを含む部品情報を部品マスタＭ３に記憶する。
【００５４】
第２指定／設定部３０ｃは、第２の設定方法に従って対象部品の統計品目番号を設定するものであり、表示制御部３０ｃ−１、品目名決定部３０ｃ−２、統計品目番号設定部３０ｃ−３を有している。なお、ここでいう第２の設定方法とは、サーバ装置３が、品目マスタＭ１で管理される品目情報に基づいてクライアント端末２の表示部２４に品目一覧を表示し、該表示した品目一覧において設定者により指定された品目名に従って対象部品の統計品目番号を設定する方法のことである。
【００５５】
表示制御部３０ｃ−１は、設定者により第２の品目名指定方法が選択指示された場合に、品目マスタＭ１で管理される品目情報で設定されている複数の品目名を含む品目一覧を表示部２４に表示するものである。
【００５６】
品目名決定部３０ｃ−２は、表示制御部３０ｃ−１により表示部２４に表示された品目一覧において設定者により指定された品目名を対象部品の品目名として決定するものである。
【００５７】
品目番号設定部３０ｃ−３は、品目名決定部３０ｃ−２で決定した品目名に関連付けられた統計品目番号を対象部品の統計品目番号として設定するものである。
【００５８】
第３指定／設定部３０ｄは、第３の設定方法に従って対象部品の統計品目番号を設定するものであり、キー名作成部３０ｄ−１、部品検出部３０ｄ−２、表示制御部３０ｄ−３、統計品目番号設定部３０ｄ−４を有している。なお、ここでいう第３の設定方法とは、サーバ装置３が、部品マスタＭ３で管理される部品情報に基づいてクライアント端末２の表示部２４に類似部品一覧を表示し、該表示した類似部品一覧において設定者により指定された部品に従って対象部品の統計品目番号を設定する方法のことである。
【００５９】
キー名作成部３０ｄ−１は、設定者により設定依頼画面２４Ａで入力された部品名称をもとに、キー名作成部３０ｂ−１と同様の方法により、対象部品の部品名称からキー名を作成するものである。
【００６０】
部品検出部３０ｄ−２は、部品マスタＭ３で管理される部品情報からキー名作成部３０ｄ−１で作成されたキー名と一致する品目名を含む品目データを検出するものである。
【００６１】
表示制御部３０ｄ−３は、部品検出部３０ｄ−２で検出された１または複数の品目データを含む類似部品一覧を表示部２４に表示するものである。
【００６２】
品目番号設定部３０ｄ−４は、表示制御部３０ｄ−２により表示部２４に表示された類似部品一覧の中から設定者により指定された品目データに関連付けられた統計品目番号を対象部品の統計品目番号として設定するものである。
【００６３】
第４指定／設定部３０ｅは、第４の設定方法に従って対象部品の統計品目番号を設定するものであり、表示制御部３０ｅ−１、統計品目番号設定部３０ｅ−２を有している。なお、ここでいう第４の設定方法とは、サーバ装置３が、部品マスタＭ３で管理される部品情報に基づいてクライアント端末２の表示部２４に部品一覧を表示し、該表示した部品一覧において設定者により指定された部品に従って対象部品の統計品目番号を設定する方法のことである。
【００６４】
表示制御部３０ｅ−１は、設定者の指示に基づいて部品情報で設定されている複数の品目データを含む部品一覧を表示部２４に表示するものである。
【００６５】
品目番号設定部３０ｅ−２は、表示制御部３０ｅ−１により表示部２４に表示された部品一覧において設定者により指定された品目データに関連付けられた統計品目番号を対象部品の統計品目番号として設定するものである。
【００６６】
統計品目番号変換部３０ｆは、統計品目番号設定部３０ｂ−５などにより設定された日本の輸出統計品目番号から日本の輸入統計品目番号または外国の統計品目番号に変換したり、統計品目番号設定部３０ｂ−５などにより設定された外国の統計品目番号から日本の統計品目番号に変換したりするものである。
【００６７】
次に、統計品目番号設定システム１における処理動作について説明する。
【００６８】
最初に、第１の設定方法に従って対象部品の統計品目番号を設定する場合の処理動作について図１４〜図２２を用いて説明する。
【００６９】
図１４は、第１の設定方法に従って対象部品の統計品目番号を設定する場合の処理手順を示すフローチャートである。
【００７０】
統計品目番号を設定しようとする設定者が、クライアント端末２において、操作部２３を用いてサーバ装置３に対して統計品目番号の設定を依頼するためのソフトウェアを起動すると、図１４に示すように、クライアント端末２では、設定依頼部２０Ａが動作して、統計品目番号の設定を依頼する設定依頼画面２４Ａ（図１５参照）を表示部２４に表示する（ステップＳ１０１）。
【００７１】
続いて、設定者が、操作部２３のキーボードなどを用いて、ダンボールなどの収容部材や設計図面などに記載されている部品名称をもとに、設定依頼画面２４Ａ上の部品名称欄２４ａに統計品目番号の設定対象となる部品の部品名称（例えば、「MOTOR：DC24V  24W」）を入力する。その後、設定者が、操作部２３のマウスなどを用いて、第１の設定方法を指定するための選択アイコンとしての推定実行ボタン２４ｂを選択する。すると、クライアント端末２では、操作受付処理部２０ａが、推定実行ボタン２４ｂの選択操作を受け付け、サーバ装置３に対して部品名称欄２４ａに入力された部品名称を示す名称情報及び第１の設定方法が指定されたことを示す実行指示情報を送信する（ステップＳ１０２）。
【００７２】
すると、サーバ装置３では、設定制御部３０Ａの操作受付部３０ａが上記名称情報及び実行指示情報を受信し、第１指定／設定部３０ｂが動作する。そして、まず、キー名作成部３０ｂ−１が、上記名称情報で示される部品名称（例えば、「MOTOR：DC24V  24W」）から、不要用語マスタＭ５で管理される特定情報で特定される付帯情報としての不要な用語を削除して、キー名（例えば、「MOTOR」）を作成する処理を実行する（ステップＳ１０３）。なお、このステップＳ１０３のキー名作成処理の詳細については後述する。
【００７３】
その後、サーバ装置３では、品目名検出部３０ｂ−２が、キー名作成部３０ｂ−１で作成されたキー名（例えば、主キー名「MOTOR」など）を基に品目マスタＭ１で管理される品目情報を参照し、上記作成されたキー名と一致するキー名称（名称用語）に関連付けられた品目名（例えば、「モータ」）を検出する処理を実行する（ステップＳ１０４）。なお、このステップＳ１０４の品目名検出処理の詳細については後述する。
【００７４】
その後、サーバ装置３では、第１指定／設定部３０ｂが、ステップＳ１０４の処理により品目名を検出したか否かを判定する（ステップＳ１０５）。この判定の結果、一つも品目名を検出していないと判定された場合には（ステップＳ１０５：Ｎｏ）、表示制御部３０ｂ−３が、対象部品に相当する品目名が無いことを設定者に通知するための表示情報、即ち、「相当品目がありません。」などをクライアント端末２の表示部２４に表示するための情報を生成して、該当するクライアント端末２に送信する。すると、上記表示情報を受信したクライアント端末２では、表示処理部２０ｂが、「相当品目がありません。」などの情報を表示部２４に表示する（ステップＳ１０６）。
【００７５】
一方、ステップＳ１０５の判定の結果、少なくとも一つ品目名を検出していると判定された場合には（ステップＳ１０５：Ｙｅｓ）、サーバ装置３では、表示制御部３０ｂ−３が、ステップＳ１０４で検出された１または複数の品目名（例えば、「ＤＣモータ」）を含む品目一覧の表示及びステップＳ１０４の検出処理における検出手順において最初（即ち、第１番目）に検出された品目名を設定者が指定したものとする仮指定表示を行うための表示情報を生成して、該当するクライアント端末２に送信する。すると、上記表示情報を受信したクライアント端末２では、表示処理部２０ｂが、部品名称欄２４ｆに設定画面２４Ａの部品名称欄２４ａに表示した部名名称（「MOTOR：DC24V  24W」）を表示し、作成キー名欄２４ｇにステップＳ１０３で作成されたキー名（例えば、「MOTOR」など）を表示し、品目名一覧表示欄２４ｈにステップＳ１０４で検出された１または複数の品目名（例えば、「ＤＣモータ」など）を表示し、仮指定品目名欄２４ｉに上記第１番目に検出された品目名（例えば、「ＤＣモータ」）を表示する設定画面２４Ｂ（図１６参照）を表示部２４に表示する（ステップＳ１０７）。
【００７６】
その後、設定者が、上記設定者が指定したものとされた品目名（以下、仮指定品目名という場合がある。）が対象部品に適合しているか否か、即ち、仮指定品目名が対象部品の品目名として正しいものであるか否かを判断する。ここで、設定者が、適合していると判断し、操作部２３を用いて、設定画面２４Ｂの選択アイコンとしての確定ボタン２４ｊを選択すると、クライアント端末２では、操作受付処理部２０ａが、確定ボタン２４ｊの選択操作を受け付け、サーバ装置３に対して対象部品の品目名（「モータ」）が仮指定品目名に確定したことを通知するための確定情報を生成して送信する（ステップＳ１０８：Ｙｅｓ）。
【００７７】
すると、サーバ装置３では、操作受付部３０ａが上記確定情報を受信し、続いて、第１指定／設定部３０ａが、品目マスタＭ１で管理される品目情報を参照し、上記確定情報で特定される品目名（仮指定品目名）に細分品目名が含まれているか否か、即ち、上記仮指定品目名に関連付けて品目選択肢（３０８）（図４〜図７参照）が設定されているか否かを判定する（ステップＳ１０９）。
【００７８】
この判定の結果、品目選択肢（３０８）が設定されていないと判定された場合は（ステップＳ１０９：Ｎｏ）、続いて、ステップＳ１１０において、サーバ装置３では、品目名決定部３０ｂ−４が、上記仮指定品目名を対象部品の品目名として決定する。そして、品目番号設定部３０ｂ−５が、品目マスタＭ１で管理される品目情報を参照し、品目名決定部３０ｂ−４で決定した品目名に関連付けられた統計品目番号を対象部品の統計品目番号として設定する。そして、品目番号設定部３０ｂ−５が、上記設定した統計品目番号及びその対象部品の品目データ（品目名または細分品目名など）を含む部品情報を部品マスタＭ３に記憶する。そして、表示制御部３０ｂ−３が、設定者により指定された品目名（例えば、「ＤＣモータ」）や細分品目名（例えば、「出力が１０Ｗを超え３７．５Ｗ以下」）、設定された統計品目番号（例えば、「850110192」）などの確定データとしての部品情報の表示を行うための表示情報を生成して、該当するクライアント端末２に送信する。すると、上記表示情報を受信したクライアント端末２では、表示処理部２０ｂが、上記指定された品目名や細分品目名、上記設定された統計品目番号などを含む部品情報を表示する表示画面２４Ｄ（図１８参照）を表示部２４に表示する。
【００７９】
一方、ステップＳ１０９の判定の結果、品目選択肢（３０８）が設定されていると判定された場合は（ステップＳ１０９：Ｙｅｓ）、続いて、サーバ装置３では、表示制御部３０ｂ−３が、品目マスタＭ１で管理される品目情報で設定されている１または複数の品目選択肢（３０８）を含む細分品目一覧の表示を行うための表示情報を生成して、該当するクライアント端末２に送信する。すると、上記表示情報を受信したクライアント端末２では、表示処理部２０ｂが、細分品目一覧表示欄２４ｌに上記品目情報で設定されている１または複数の品目選択肢（３０８）（例えば、「０１：出力が１０Ｗ以下＜850110191＞など）を含む細分品目一覧を表示する設定画面２４Ｃ（図１７参照）を表示部２４に表示する（ステップＳ１１１）。
【００８０】
その後、設定者が、対象部品に該当する細分品目名を判断し、操作部２３のマウスなどを用いて、設定画面２４Ｃにおいて対象部品に適合する細分品目名を選択指定する（なお、この時、品目選択肢のパラメータを入力する必要がある場合は、設定者は、設定画面２４Ｃのパラメータ入力欄２４ｍにその値を入力する。）と、操作受付処理部２０ａが、その選択指定の操作を受け付け、サーバ装置３に対して設定者により指定された細分品目名を示す細分品目情報（パラメータ値を示す情報を含む場合がある。）を送信する（ステップＳ１１２）。
【００８１】
すると、サーバ装置３では、操作受付部３０ａが上記細分品目情報を受信し、続いて、第１指定／設定部３０ａが、上記細分品目情報で特定される細分品目名（以下、指定細分品目名という場合がある。）に更に下位の細分品目名が含まれているか否か、即ち、指定細分品目名を含む品目選択肢（３０８）に＜ｓ＞｛図７の品目選択肢（３０８）参照｝が設定されているか否かを判定する（ステップＳ１１３）。
【００８２】
この判定の結果、指定細分品目名を含む品目選択肢（３０８）に＜ｓ＞が設定されていないと判定された場合は（ステップＳ１１３：Ｎｏ）、上記したステップＳ１１０に移行して、品目名決定部３０ｂ−４が、上記指定細分品目名を対象部品の品目名として決定する。その後、品目番号設定部３０ｂ−５が、品目名決定部３０ｂ−４で決定した品目名に関連付けられた統計品目番号を対象部品の統計品目番号として設定し、上記設定した統計品目番号及びその対象部品の品目データを含む部品情報を部品マスタＭ３に記憶する。
【００８３】
また、ステップＳ１１３の判定の結果、指定細分品目名を含む品目選択肢（３０８）に＜ｓ＞が設定されていると判定された場合は（ステップＳ１１３：Ｙｅｓ）、処理を上記したステップＳ１１１に戻し、表示制御部３０ｂ−３が、品目マスタＭ１で管理される品目情報の下位品目選択肢とそのパラメータ（３１１）（図７参照）で設定されている更に下位の細分品目名を含む細分品目一覧の表示を行うための表示情報を生成して、該当するクライアント端末２に送信する。すると、上記表示情報を受信したクライアント端末２では、表示処理部２０ｂが、下位品目選択肢とそのパラメータ（３１１）で設定されている１または複数の下位品目選択肢（例えば、「０１：車輪直径が７５ｍｍ以下のもの＜830220000＞」）を含む細分品目一覧を表示する設定画面（不図示）を表示部２４に表示する。それ以降、上記したステップＳ１１２と同様の処理を行う。
【００８４】
また、一方、ステップＳ１０７の表示処理後、設定者が、設定画面２４Ｂにおいて設定者が指定したものとされた品目名が対象部品に適合していないと判断した場合（ステップＳ１０８：Ｎｏ）、次いで、設定者が、設定画面２４Ｂに表示されている品目一覧の中に対象部品に適合する品目名があるか否かを判断する。そして、設定者が上記品目一覧の中に適合する品目名があったと判断し、操作部２３のマウスなどを用いて、設定画面２４Ｂにおいて対象部品に適合する品目名を選択すると、クライアント端末２では、操作受付処理部２０ａが、上記選択操作を受け付け（ステップＳ１１４：Ｙｅｓ）、サーバ装置３に対して設定者により指定された品目名を示す品目名情報を生成して送信する（ステップＳ１１５）。
【００８５】
すると、サーバ装置３では、操作受付部３０ａが上記品目名情報を受信し、続いて、上記したステップＳ１０９に移行して、第１指定／設定部３０ｂが、上記品目名情報で特定される品目名（以下、指定品目名という場合がある。）に細分品目名が含まれているか否か、即ち、指定品目名に関連付けて品目選択肢（３０８）が設定されているか否かを判定し、それ以降、上記したステップＳ１１１に移行して同様の処理を行う。
【００８６】
一方、設定者が、設定画面２４Ｂにおいて設定者が指定したものとされた品目名（仮指定品目名）が対象部品に適合していないと判断し（ステップＳ１０８：Ｎｏ）、次いで、設定者が、設定画面２４Ｂに表示されている品目一覧の中に対象部品に適合する品目名がないと判断し、操作部２３のマウスなどを用いて、設定画面２４Ｂの終了ボタン２４ｋを選択すると、クライアント端末２では、操作受付処理部２０ａが、上記選択操作を受け付け（ステップＳ１１４：Ｎｏ）、ここでの処理を終了する。なお、この場合、設定者は、他の設定方法（即ち、第２〜第４の設定方法）を用いて対象部品の統計品目番号を設定する。
【００８７】
また、設定者は、設定画面２４Ｂにおいて設定者が指定したものとされた品目名（仮指定品目名）が対象部品に適合していないと判断し（ステップＳ１０８：Ｎｏ）、且つ、設定画面２４Ｂの品目一覧に仮指定品目名以外のその他の品目名が表示されていない場合にも（ステップＳ１１４：Ｎｏ）、操作部２３のマウスなどを用いて、設定画面２４Ｂの終了ボタン２４ｋを選択する。
【００８８】
次に、図１４のステップＳ１０３のキー名作成処理の詳細について説明する。
【００８９】
図１９は、図１４のステップＳ１０３のキー名作成処理の詳細な処理手順を示すフローチャートである。
【００９０】
図１９に示すように、図１４のステップＳ１０３のキー名作成処理においては、まず、キー名作成部３０ｂ−１が、対象部品の部品名称（例えば、「MOTOR：DC24V  24W」）から区切りワード（Ｗｏｒｄ）（例えば、：（コロン）など）を検出し、部品名称を区切る位置を検出する（ステップＳ２０１）。
【００９１】
続いて、キー名作成部３０ｂ−１が、ステップＳ２０１で検出した区切りワードに従って部品名称を区切り、頭語（例えば、「MOTOR」）、次頭語（例えば、「DC24V  24W」）、次末語（例えば、「DC24V  24W」）、末語（例えば、「DC24V  24W」）などの区切り名称を作成し、ＲＡＭなどの記憶部の所定の記憶領域に記憶する（ステップＳ２０２）。
【００９２】
ここで、図２０は、ステップＳ２０２で作成される区切り名称を説明するための表図であり、部品名称の各パターン（５０１）と、各パターンに対応した区切り数（５０２）、頭語（５０３）、次頭語（５０４）、次末語（５０５）及び末語（５０６）との関係を示している。
【００９３】
図２０に示すように、本実施形態では、例えば、部品名称のパターンが、区切りワード（：）を一つだけ含むＮｏ．２のパターン「＊＊＊＊１：＊＊＊＊２」であった場合、区切り数が「１」となり、ステップＳ２０２において、キー名作成部３０ｂ−１が、頭語「＊＊＊＊１」、次頭語「＊＊＊＊２」、次末語「＊＊＊＊２」、末語「＊＊＊＊２」を作成する。具体的には、例えば、部品名称が「MOTOR：DC24V  24W」であった場合、ステップＳ２０２において、キー名作成部３０ｂ−１が、頭語「MOTOR」、次頭語「DC24V  24W」、次末語「DC24V  24W」、末語「DC24V  24W」を作成する。
【００９４】
続いて、キー名作成部３０ｂ−１が、評価マスタの評価実行内容（５０９）（図２１参照）に従ってステップＳ２０２で作成された頭語、次頭語、次末語及び末語を夫々評価し、評価結果をＲＡＭなどの記憶部の所定の記憶領域に記憶する（ステップＳ２０３）。
【００９５】
図２１は、評価マスタの構成を示す模式図である。なお、本実施形態においては、図２１に示す評価マスタを不要用語マスタＭ５（図１、図３参照）に含ませている。図２１に示すように、本実施形態の評価マスタは、評価の種類を示す各評価ワード（Word）名（５０８）と、各評価ワード名に対応した評価実行内容（５０９）とを関連付けて管理している。
【００９６】
以下、図２１を参照して、図１９のステップＳ２０３の評価処理の詳細について説明する。
【００９７】
例えば、ステップＳ２０３において、キー名作成部３０ｂ−１は、頭語、次頭語、次末語及び末語などの構成語が、評価実行内容（５０９）に示されるSUB−ASS’Y、ASS’Y、ASSEMBLY、SUB−UNIT、SUB  UNIT、UNIT、SECTION  、PARTSなどの不正語（５１０）と一致した場合には、該当する構成語が相応しくない不正名称であると評価する。なお、頭語が上記不正語と一致した場合には、サーバ装置３は、該当するクライアント端末２の表示部２４に「部品名称としては相応しくありません。」などを表示させ、部品名称が不適切であることを設定者に通知する。
【００９８】
また、例えば、ステップＳ２０３において、キー名作成部３０ｂ−１は、頭語及び末語が、評価実行内容（５０９）に示される、SUB−ASS’Y、ASS’Y、ASSEMBLY、SUB−UNIT、SUB  UNIT、UNIT、SECTIONなどの組立語（５１１）を含んでいる場合には、部品名称に対応する部品が組立加工された部品であると評価する。より具体的には、例えば、頭語及び末語が、SUB−ASS’Y、ASS’Yという組立語を含んでいる場合は、当該部品名称に対応する部品が「組立品」であると評価する。また、頭語及び末語が、SUB−UNIT、SUB  UNIT、UNIT、SECTIONなどの組立語を含んでいる場合は、部品が「UNIT品」であると評価する。また、頭語及び末語の夫々が、WELDINGという組立語を含んでいる場合は、部品が「溶接品」であると評価する。更に、頭語及び末語が、PEENという組立語を含んでいる場合は、部品が「カシメ品」であると評価する。なお、ＵＮＩＴ品と評価された場合には、頭語から組立語を削除したものを正式な頭語とする。
【００９９】
また、例えば、ステップＳ２０３において、キー名作成部３０ｂ−１は、頭語、次頭語、次末語及び末語などの構成語が、評価実行内容（５０９）に示される、WITH、W/、TYPE、！、（、＋−、＿ASS’Yなどのカット語（５１２）を含んでいる場合には、該当する構成語からカット語（５１２）及びカット語（５１２）の右側の用語を削除したものを正式な構成語とする。
【０１００】
また、例えば、ステップＳ２０３において、キー名作成部３０ｂ−１は、頭語、次頭語、次末語及び末語などの構成語が、評価実行内容（５０９）に示される、！、＆などの不要語（５１３）を含んでいる場合に、該当する構成語を削除する。また、キー名作成部３０ｂ−１は、頭語、次頭語、次末語及び末語などの構成語が、評価実行内容（５０９）に示される、＄などの不要語（５１３）を含んでいる場合に、該当する構成語を、上記＄などの不要語（５１３）の左側の用語にする。また、キー名作成部３０ｂ−１は、頭語、次頭語、次末語及び末語などの構成語が、UPPER、LOWER、FRONT、BACK、OR，ANDなどの不要語（５１３）と一致する場合には、該当する構成語を削除する。
【０１０１】
また、例えば、ステップＳ２０３において、キー名作成部３０ｂ−１は、頭語、次頭語、次末語及び末語などの構成語が、評価実行内容（５０９）に示される、SUB−UNIT、SUB  UNIT、UNIT、SECTIONなどのUNIT語を含んでいる場合に、部品名称に対応する部品がユニット品であると評価する。
【０１０２】
また、例えば、ステップＳ２０３において、キー名作成部３０ｂ−１は、頭語、次頭語、次末語及び末語などの構成語が、−  （ハイフォンとスペース）、  ＿（スペースとアンダーバー）などの用語を含んでいる場合に、該当する構成語から上記−  （ハイフォンとスペース）、  ＿（スペースとアンダーバー）などの用語及びその用語の右側の用語を削除したものを正式な構成語とする。また、キー名作成部３０ｂ−１は、頭語、次頭語、次末語及び末語などの構成語が、−（ハイフォン）、＿（アンダーバー）などの用語を含んでいる場合に、該当する構成語から上記−（ハイフォン）、＿（アンダーバー）などの用語及びその用語の右側の用語を削除したものを正式な構成語とする。また、キー名作成部３０ｂ−１は、頭語、次頭語、次末語及び末語などの構成語が、１文字の場合は、該当する構成語を削除する。また、キー名作成部３０ｂ−１は、頭語、次頭語、次末語及び末語などの構成語が、先頭文字が数値の場合に、該当する構成語を削除する。また、キー名作成部３０ｂ−１は、頭語、次頭語、次末語及び末語などの構成語が、数字を含む場合に、最初の数字の左側の文字数が２文字以下であれば、該当する構成語を削除する。
【０１０３】
図１９に戻って、ステップＳ２０３の評価処理後、続いて、キー名作成部３０ｂ−１が、頭語や次頭語から主キー名（例えば、「MOTOR」）を作成する（ステップＳ２０４）。
【０１０４】
具体的には、このステップＳ２０４の処理では、キー名作成部３０ｂ−１が、以下の（ア）〜（ウ）の処理を実行する。即ち、（ア）の処理として、キー名作成部３０ｂ−１が、頭語が不正語と一致し相応しくない不正名称と評価されている場合に、（１）次頭語があれば次頭語を主キー名として一時決定し、（２）次頭語がなければ評価前の頭語を主キー名として一時決定する。
【０１０５】
また、（イ）の処理として、キー名作成部３０ｂ−１が、頭語が不正語と一致せず不正名称ではないと評価されている場合に、キー名作成部３０ｂ−１が、（１）部品がユニット品であると評価されている場合に、「頭語＋  （スペース）＋UNIT」を主キー名にし、（２）頭語がスペースを含めば頭語を主キー名として一時決定し、（３）頭語がスペースを含まず、−（ハイフォン）、＿（アンダーバー）を含めば頭語を−（ハイフォン）または＿（アンダーバー）で分割し、分割された各用語のいずれか一方を主キー名として一時決定し、（４）頭語が、上記（１）〜（３）に該当しない場合には、頭語を主キー名として一時決定する。
【０１０６】
また、（ウ）の処理として、キー名作成部３０ｂ−１が、上記（１）及び（２）で一時決定した主キー名がスペースを含まなければ上記一時決定した主キー名を正式な主キー名として確定する。一方、上記（１）及び（２）で一時決定した主キー名がスペースを含んでいる場合には、キー名作成部３０ｂ−１が、上記一時決定した主キー名の最終構成語（最後尾のスペースの後の用語）が、評価マスタの評価実行内容（５０９）（図２３参照）で示されるＤＣ、ＡＣなどの主キー名不要語（５１５）と一致する場合に、その主キー名不要語（５１５）及びその主キー名不要語（５１５）の右側の用語を削除したものを主キー名として確定する。
【０１０７】
続いて、キー名作成部３０ｂ−１が、ステップＳ２０４で作成された主キー名からキー名１〜キー名４（例えば、キー名１「MOTOR」）を作成する（ステップＳ２０５）。
【０１０８】
具体的には、このステップＳ２０５の処理では、キー名作成部３０ｂ−１が、以下の（エ）〜（ク）の処理を実行する。即ち、（エ）の処理として、キー名作成部３０ｂ−１が、部品がユニット品であると評価されている場合に、主キー名からキー名１〜４を作成しない。
【０１０９】
また、（オ）の処理として、キー名作成部３０ｂ−１が、頭語がスペースを含む場合に、（１）頭語の最後端のスペースの右側をキー名１にし、（２）頭語の最後端のスペースの左側をキー名２にし、（３）キー名２がスペースを含む場合、キー名２の最後端のスペースの右側をキー名３とし、（４）キー名２がスペースを含む場合、キー名２の最初のスペースの左側をキー名４にする。
【０１１０】
また、（カ）の処理として、キー名作成部３０ｂ−１が、頭語がスペースを含まず、−（ハイフォン）または＿（アンダーバー）などの連結語（５１６）を含んでいると評価されている場合に、（１）頭語が連結語（５１６）と一致する場合、頭語をキー名１とし、（２）頭語の最初の−（ハイフォン）または＿（アンダーバー）の左側をキー名１にし、（３）頭語の最初の−（ハイフォン）または＿（アンダーバー）の右側の用語に更に−（ハイフォン）または＿（アンダーバー）を含む場合、頭語の最後端の−（ハイフォン）または＿（アンダーバー）の右側をキー名２にする。
【０１１１】
また、（キ）の処理として、キー名作成部３０ｂ−１が、上記（エ）〜（カ）以外の場合には、頭語をキー名１にする。
【０１１２】
更に、（ク）の処理として、キー名作成部３０ｂ−１は、部品が組立品であると評価されている場合に、ステップＳ２０４で作成した主キー名及び上記（エ）〜（キ）で作成したキー名１〜キー名４をシフト補正する。具体的には、キー名作成部３０ｂ−１は、「主キー名＋  （スペース）＋ASSY」を新たな主キー名とし、ステップＳ２０４で作成した主キー名を新たなキー名１とし、上記（エ）〜（キ）で作成されたキー名１を新たなキー名２とし、上記（エ）〜（キ）で作成されたキー名２を新たなキー名３とし、上記（エ）〜（キ）で作成されたキー名３を新たなキー名４とする。
【０１１３】
続いて、キー名作成部３０ｂ−１が、第２主キー名（例えば、「MOTOR:DC24V  24W」）及びキー名０（例えば、「DC24V  24W」）を作成する（ステップＳ２０６）。
【０１１４】
具体的には、このステップＳ２０６の処理では、キー名作成部３０ｂ−１が、以下の（ケ）、（コ）の処理を実行する。即ち、（ケ）の処理として、キー名作成部３０ｂ−１が、（１）部品が組立品である場合に、第２主キー名を作成せず、（２）次頭語がある場合に次頭語をキー名２とする。
【０１１５】
また、（コ）の処理として、キー名作成部３０ｂ−１が、部品が組立品でない場合、（１）次頭語がある場合に「主キー名＋’’：’’＋次頭語」を第２主キー名とし、（２）次頭語がある場合に次頭語をキー名０にする。
【０１１６】
続いて、キー名作成部３０ｂ−１が、ステップＳ２０４〜ステップＳ２０６で作成された主キー名、第２キー名及びキー名０〜キー名４の中から不要なキー名を削除する（ステップＳ２０７）。
【０１１７】
具体的には、このステップＳ２０７の処理では、キー名作成部３０ｂ−１が、ステップＳ２０４〜ステップＳ２０６で作成された主キー名及びキー名０〜キー名４の夫々が、スペースを含まないキー名である場合に、それら各キー名が、評価マスタの評価実行内容（５０９）で示されるEMPTY、EXIT、LG、PAPER、SET、ANTI、SERVICE、PARTS、TIGHT、HEADなどのキー名不要語（５１４）と一致した場合、該当するキー名を削除する。
【０１１８】
次に、図１４のステップＳ１０４の品目名検出処理の詳細について図２２を用いて説明する。
【０１１９】
図２２は、図１４のステップＳ１０４の品目名検出処理の詳細な処理手順を示すフローチャートである。
【０１２０】
図２２に示すように、図１４のステップＳ１０４の品目名検出処理において、品目名検出部３０ｂ−２は、主キー名→キー名１→キー名２→キー名３→キー名４→キー名０→第２キー名の順番で、それら各キーと一致するキー名称（名称用語）に関連付けられた品目名を検出する処理を行う（ステップＳ３０１、Ｓ３０４、Ｓ３０７、Ｓ３１０、Ｓ３１３、Ｓ３１６、Ｓ３１９）。なお、上記検出するキー名の順番は、任意に設定することが可能である。
【０１２１】
そして、ステップＳ３０１、Ｓ３０４、Ｓ３０７、Ｓ３１０、Ｓ３１３、Ｓ３１６、Ｓ３１９の各検出処理において、品目名を検出した場合には、品目名検出部３０ｂ−２は、検出した品目名の検出順番がわかるようにして検出した品目名を記憶する（ステップＳ３２１〜Ｓ３２７）。
【０１２２】
次に、図１４の具体的な処理の一例について説明する。
【０１２３】
例えば、設定者が、部品名称「MOTOR：DC24V  24W」を基に、「出力が１０Ｗを超え３７．５Ｗ以下であり、低格出力（Ｗ）が２５のＤＣモータ」という部品の統計品目番号を設定する場合について説明する。なお、このとき、品目マスタＭ１が、「FAN  MOTOR＜841459000＞」、「ステッピングモータ＜・＞」、「ＤＣモータ＜・＞」、「単相交流モータ＜・＞」、「多相交流モータ＜・＞」及び「交直両用モータ＜・＞」という各品目夫々にキー名（名称用語）としての「MOTOR」を関連付けて記憶しているものとする。
【０１２４】
この場合、設定者が、設定依頼画面２４Ａ（図１５参照）において部品名称欄２４ａに「MOTOR：DC24V  24W」という部品名称を入力し、推定実行ボタン２４ｂを選択すると（ステップＳ１０２）、ステップＳ１０３において、サーバ装置３のキー名作成部３０ｂ−１が、図１９の処理手順に従って、頭語「MOTOR」、次頭語「DC24V  24W」、次末語「DC24V  24W」、末語「DC24V  24W」などの区切り名称を作成し、該作成した区切り名称を評価マスタに基づいて評価して、主キー名「MOTOR」、キー名１「MOTOR」、キー名０「DC24V  24W」及び第２主キー名「MOTOR：DC24V  24W」を作成する。
【０１２５】
続いて、ステップＳ１０４において、サーバ装置３の品目名検出部３０ｂ−２が、図２２の処理手順に従って、各キー名に相当する複数の品目名として、「FAN  MOTOR＜841459000＞」、「ステッピングモータ＜・＞」、「ＤＣモータ＜・＞」、「単相交流モータ＜・＞」、「多相交流モータ＜・＞」、「交直両用モータ＜・＞」を検出する。
【０１２６】
その後、ステップＳ１０７において、クライアント端末２の表示処理部２０ｂが、図１６に示すような設定画面２４Ｂを表示部２４に表示する。
【０１２７】
そして、設定者が、設定画面２４Ｂの仮指定品目名欄２４ｉに表示されている品目名「ＤＣモータ」が部品に適合すると判断し、確定ボタン２４ｊを選択すると（ステップＳ１０８：Ｙｅｓ）、ステップＳ１０９において、サーバ装置３の第１指定／設定部３０ｂが、品目マスタＭ１で管理される品目情報を参照し、上記品目名「ＤＣモータ」の品目情報の品目選択肢（３０８）（図５参照）に細分品目名が設定されていると判定し（ステップＳ１０９：Ｙｅｓ）、続く、ステップＳ１１１において、クライアント端末２の表示処理部２０ｂが、図１７に示すような設定画面２４Ｃを表示部２４に表示する。
【０１２８】
そして、設定者が、細分品目一覧表示欄２４ｌにおいて「０２：出力が１０Ｗを超え３７．５Ｗ以下＜850110192＞」という選択肢を選択し、パラメータ入力欄２４ｍに「２５」を入力し、確定ボタン２４ｎを選択する（ステップＳ１１２）。
【０１２９】
すると、サーバ装置３の第１指定／設定部３０ｂが、上記選択された細分品目名「０２：出力が１０Ｗを超え３７．５Ｗ以下＜850110192＞」に＜ｓ＞が設定されていないことから、ステップＳ１１３の判定で、Ｎｏと判定され、続く、ステップＳ１１０において、サーバ装置３の統計品目番号設定部３０ｂ−５が、部品名称「MOTOR：DC24V  24W」に基づく部品の統計品目番号として、上記選択された細分品目名「０２：出力が１０Ｗを超え３７．５Ｗ以下＜850110192＞」で設定されている「850110192」という番号を設定し、その設定した統計品目番号「850110192」と品目名を含む部品情報を部品マスタＭ３に記憶する。
【０１３０】
次に、第２の設定方法に従って対象部品の統計品目番号を設定する場合の処理動作について図２３を用いて説明する。図２３は、第２の設定方法に従って対象部品の統計品目番号を設定する場合の処理手順を示すフローチャートである。
【０１３１】
まず、統計品目番号を設定しようとする設定者が、クライアント端末２において、操作部２３を用いてサーバ装置３に対して統計品目番号の設定を依頼するためのソフトウェアを起動する。すると、クライアント端末２では、設定依頼部２０Ａが動作して、統計品目番号の設定を依頼する設定依頼画面２４Ａ（図１５参照）を表示部２４に表示する（ステップＳ４０１）。
【０１３２】
続いて、設定者が、操作部２３のキーボードなどを用いて、ダンボールなどの収容部材や設計図面などに記載されている部品名称をもとに、設定依頼画面２４Ａ上の部品名称欄２４ａに統計品目番号の設定対象となる部品の部品名称（例えば、「MOTOR：DC24V  24W」）を入力する。その後、設定者が、操作部２３のマウスなどを用いて、第２の設定方法を指定するための選択アイコンとしての直接品目名指定ボタン２４ｃを選択する。すると、クライアント端末２では、操作受付処理部２０ａが、直接品目名指定ボタン２４ｃの選択操作を受け付け、サーバ装置３に対して部品名称欄２４ａに入力された部品名称を示す名称情報及び第２の設定方法が指定されたことを示す実行指示情報を送信する（ステップＳ４０２）。
【０１３３】
すると、サーバ装置３では、操作受付部３０ａが、上記名称情報及び実行指示情報を受信し、第２の指定／設定部３０ｃが動作し、表示制御部３０ｃ−１が、品目マスタＭ１で管理される品目情報に基づいて複数の品目名（例えば、「ＤＣモータ」、「ギヤヘッド」、「キャスター」など）を含む品目一覧の表示を行うための表示情報を生成して、該当するクライアント端末２に送信する。すると、上記表示情報を受信したクライアント端末２では、表示処理部２０ｂが、上記品目一覧を表示する設定画面２４Ｅ（図２４参照）を表示部２４に表示する（ステップＳ４０３）。
【０１３４】
その後、設定者が、対象部品に該当する品目名を判断し、操作部２３のマウスなどを用いて、設定画面２４Ｂにおいて対象部品に適合する品目名を選択指定すると、操作受付処理部２０ａが、その選択指定の操作を受け付け、サーバ装置３に対して設定者により指定された品目名を示す品目情報を送信する（ステップＳ４０４）。
【０１３５】
すると、サーバ装置３では、操作受付部３０ａが上記品目情報を受信し、続いて、第２指定／設定部３０ｃが、図１４で示した第１指定／設定部３０ｂが行うステップＳ１０９〜ステップＳ１１３の処理と同様の処理であるステップＳ４０５〜ステップＳ４０９の処理を実行する。
【０１３６】
次に、第４の設定方法に従って対象部品の統計品目番号を設定する場合の処理動作について図２５を用いて説明する。図２５は、第４の設定方法に従って対象部品の統計品目番号を設定する場合の処理手順を示すフローチャートである。
【０１３７】
まず、統計品目番号を設定しようとする設定者が、クライアント端末２において、操作部２３を用いてサーバ装置３に対して統計品目番号の設定を依頼するためのソフトウェアを起動する。すると、クライアント端末２では、設定依頼部２０Ａが動作して、統計品目番号の設定を依頼する設定依頼画面２４Ａ（図１５参照）を表示部２４に表示する（ステップＳ５０１）。
【０１３８】
続いて、設定者が、操作部２３のキーボードなどを用いて、ダンボールなどの収容部材や設計図面などに記載されている部品名称をもとに、設定依頼画面２４上の部品名称欄２４ａに統計品目番号の設定対象となる部品の部品名称（例えば、「MOTOR：DC24V  24W」）を入力する。その後、設定者が、操作部２３のマウスなどを用いて、第４の設定方法を指定するための選択アイコンとしての直接類似部品指定ボタン２４ｅを選択する。すると、クライアント端末２では、操作受付処理部２０ａが、直接類似部品指定ボタン２４ｅの選択操作を受け付け、サーバ装置３に対して部品名称欄２４ａに入力された部品名称を示す名称情報及び第４の設定方法が指定されたことを示す実行指示情報を送信する（ステップＳ５０２）。
【０１３９】
すると、サーバ装置３では、操作受付部３０ａが、上記名称情報及び実行指示情報を受信し、第４指定／設定部３０ｅが動作し、表示制御部３０ｅ−１が、部品マスタＭ３で管理される部品情報に基づいて複数の部品（品目データ）を含む部品一覧の表示を行うための表示情報を生成して、該当するクライアント端末２に送信する。すると、上記表示情報を受信したクライアント端末２では、表示処理部２０ｂが、上記部品一覧を表示する設定画面（不図示）を表示部２４に表示する（ステップＳ５０３）。
【０１４０】
その後、設定者が、対象部品に該当する部品（品目データ）を判断し、操作部２３のマウスなどを用いて、設定画面２４Ｆにおいて対象部品に適合する部品（品目データ）を選択指定すると、操作受付処理部２０ａが、その選択指定の操作を受け付け、サーバ装置３に対して設定者により指定された部品（品目データ）を示す部品情報を送信する（ステップＳ５０４）。
【０１４１】
すると、サーバ装置３では、統計品目番号設定部３０ｅ−２が、上記部品情報で特定される部品（品目データ）に関連付けられた統計品目番号を対象部品の統計品目番号として設定する。また、統計品目番号設定部３０ｅ−２が、上記設定した統計品目番号及びその対象部品の品目データ（品目名または細分品目名など）を含む部品情報を部品マスタＭ３に記憶する（ステップＳ５０５）。
【０１４２】
次に、日本の輸出統計品目番号から米国の統計品目番号を設定する場合の処理動作について図２６を用いて説明する。図２６は、品目名「ＤＣモータ」の日本の輸出ＨＳの号850110に対応する米国の品目選択肢の一例を示す図である。
【０１４３】
日本の輸出ＨＳコードが「（出力が１０Ｗを超え３７．５Ｗ以下）＜850110192＞」である「ＤＣモータ」という部品の米国の統計品目番号を設定する場合、統計品目番号変換部３０ｆが、クライアント端末２の表示部２４に図２６の符号（３７０）の選択肢一覧及びパラメータを入力するためのパラメータ入力欄を表示する表示画面（不図示）を表示させる。なお、英語表示の設定がされていれば、統計品目番号変換部３０ｆは、図２６の符号（３７１）の英語表記の選択肢も表示する。
【０１４４】
すると、設定者が、表示部２４に表示された上記選択肢一覧を見て、米国の統計品目番号を設定するには、モータの出力値の他にモータがブラシレスモータか否かの部品情報が必要であることを認識する。そして、設定者が、モータがブラシレスモータであり、モータの出力値が「２５Ｗ」であるという部品情報を取得すると、操作部２３のマウスなどを用いて、選択肢一覧の中から「０２：８５０１１０−６０４０＜＜ＤＣモータ＞＞＜ブラシレスモータ＞出力が１８．６５Ｗを超え３７．５Ｗ以下」という選択肢を選択し、更に、操作部２３のキーボードなどを用いて、パラメータ入力欄に「２５」という数字を入力する。なお、日本の輸出統計品目番号の設定で出力値が入力されていればその出力値が表示されるので入力は不要である。
【０１４５】
そして、設定者が、上記表示画面の確定ボタンを選択操作すると、米国の統計品目番号「850110−6040」が設定される。そして、部品情報として、ＤＣブラシレスモータで出力値が「２５Ｗ」の部品情報が記憶される。
【０１４６】
以上説明した実施形態によれば、専門知識や経験が無くても輸出入する部品の部品名称に基づいて簡単に統計品目番号を設定することができるという作用効果を奏する。
【０１４７】
より具体的には、本実施形態によれば、部品名称から一義的に統計品目番号を設定できるものについては略自動的に統計品目番号を設定することができ、一義的に統計品目番号を設定できないものについては、会話的に統計品目設定番号を設定することができるという作用効果を奏する。また、本実施形態によれば、設定者の操作を簡略化したため、設定者の負担を軽減できるとともに、業務の効率化を図ることができるという作用効果を奏する。
【０１４８】
以上、例示的な実施形態に基づいて説明したが、本実施形態は、前記した実施形態により限定されるものではない。
【０１４９】
例えば、上記実施形態では、設定者が、キーボードなどを用いて、設定画面２４Ａ上の部品名称欄２４ａに統計品目番号の設定対象となる部品の部品名称を手入力して部品名称を指定する形態について説明したが、これに限定されず、サーバ装置３の全部品マスタＭ４に設定されている部品名称や記憶部２５に記憶されている部品名称を読み出して部品名称を指定するような形態とすることも可能である。
【０１５０】
また、上記実施形態では、サーバ装置３の記憶装置が品目マスタＭ１、ＨＳマスタＭ２、部品マスタＭ３、全部品マスタＭ４などの各種のマスタを格納する形態について説明したが、これに限定されず、サーバ装置３とは別体で、ネットワークＮに接続される記憶装置が上記の各種マスタを格納するような形態とすることも可能である。
【０１５１】
また、上記実施形態では、サーバ装置３が１台の場合について説明したが、これに限定されず、複数のサーバ装置３を備え、各サーバ装置３で処理を分担して実行するような形態とすることも可能である。
【０１５２】
また、上記実施形態では、複数のクライアント端末２とサーバ装置３がネットワークを介して接続される統計品目番号設定システム１の場合について説明したが、これに限定されず、統計品目番号設定システム１の代わりに、上記したサーバ装置３の機能的構成及び各種のマスタを備えたスタンドアローン形態のクライアント端末（情報処理装置）２を提供するようにしても良い。
【０１５３】
また、上記実施形態の制御部２０、３０のＣＰＵにおける処理を実行するプログラムは、クライアント端末２やサーバ装置３のＲＯＭなどの記憶部に予め組み込んで提供することが可能である。また、上記プログラムは、インストール可能な形式または実行可能な形式のファイルでコンピュータで読み取り可能な記憶媒体に記憶して提供することが可能である。更に、上記プログラムは、インターネットなどのネットワーク経由で提供または配布したりすることも可能である。
【０１５４】
また、本発明の一つの実施形態を説明したが、この実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１５５】
１  統計品目番号設定システム（情報処理システム）
２  クライアント端末（情報処理装置）
３  サーバ装置（情報処理装置）
Ｎ  ネットワーク
Ｍ１  品目マスタ（第２の記憶手段、品目情報）
Ｍ２  ＨＳマスタ
Ｍ３  部品マスタ（第３の記憶手段）
Ｍ４  全部品マスタ
Ｍ５  不要用語マスタ（第１の記憶手段、特定情報）
２０Ａ  設定依頼部
２０ａ  操作受付処理部
２０ｂ  表示処理部
２４  表示部
３０Ａ  設定制御部
３０ａ  操作受付部
３０ｂ  第１指定／設定部
３０ｂ−１  キー名作成部（作成手段）
３０ｂ−２  品目名検出部（検出手段）
３０ｂ−３  表示制御部（第１の表示制御手段）
３０ｂ−４  品目名決定部（決定手段）
３０ｂ−５  統計品目番号設定部（設定手段、登録手段）
３０ｃ  第２指定／設定部
３０ｃ−１  表示制御部（第２の表示制御手段）
３０ｃ−２  品目名決定部（第２の決定手段）
３０ｃ−３  統計品目番号設定部（第２の設定手段、登録手段）
３０ｄ  第３指定／設定部
３０ｄ−１  キー名作成部（作成手段）
３０ｄ−２  部品検出部（部品検出手段）
３０ｄ−３  表示制御部（第３の表示制御手段）
３０ｄ−４  統計品目番号設定部（第３の設定手段）
３０ｅ  第４指定／設定部
３０ｅ−１  表示制御部（第４の表示制御手段）
３０ｅ−２  統計品目番号設定部（第４の設定手段）
３０ｆ  統計品目番号変換部（変換手段）
３５  記憶部（第１の記憶手段、第２の記憶手段、第３の記憶手段）
【先行技術文献】
【特許文献】
【０１５６】
【特許文献１】特開２００３−１５０７４９号公報
【特許文献２】特開２００３−１４１３０４号公報
【特許文献３】特開２００２−０４９６６９号公報
【特許文献４】特開２００１−２８２９００号公報
【図１】
0006035799.tif 000002
【図２】
0006035799.tif 000003
【図３】
0006035799.tif 000004
【図４】
0006035799.tif 000005
【図５】
0006035799.tif 000006
【図６】
0006035799.tif 000007
【図７】
0006035799.tif 000008
【図８】
0006035799.tif 000009
【図９】
0006035799.tif 000010
【図１０】
0006035799.tif 000011
【図１１】
0006035799.tif 000012
【図１２】
0006035799.tif 000013
【図１３】
0006035799.tif 000014
【図１４】
0006035799.tif 000015
【図１５】
0006035799.tif 000016
【図１６】
0006035799.tif 000017
【図１７】
0006035799.tif 000018
【図１８】
0006035799.tif 000019
【図１９】
0006035799.tif 000020
【図２０】
0006035799.tif 000021
【図２１】
0006035799.tif 000022
【図２２】
0006035799.tif 000023
【図２３】
0006035799.tif 000024
【図２４】
0006035799.tif 000025
【図２５】
0006035799.tif 000026
【図２６】
0006035799.tif 000027